(57)【特許請求の範囲】
【請求項１】
第１の電線と、第２の電線とを含む単相二線式の電力系統に連系するパワーコンディショナであって、
直流電源装置が出力する電力を所定の直流電力に変換可能な変換部と、
前記直流電力を交流電力に変換して出力可能なインバータ部と、
前記インバータ部の出力電流を検出するための第１電流センサと、
前記第１電流センサにより検出する第１の電流値の単位時間当たりの変動量が予め規定された所定値以上のとき、少なくとも前記第１の電線に取り付けられる第２電流センサにより検出する第２の電流値に基づいて、前記第２電流センサの取り付け状態を判定する判定部と、を有する
パワーコンディショナ。
【請求項２】
第１の電線と、第２の電線と、中性線となる第３の電線とを含む単相三線式の電力系統に連系するパワーコンディショナであって、
直流電源装置が出力する電力を所定の直流電力に変換可能な変換部と、
前記直流電力を交流電力に変換して出力可能なインバータ部と、
前記インバータ部の出力電流を検出するための第１電流センサと、
前記第１電流センサにより検出する第１の電流値の単位時間当たりの変動量が予め規定された所定値以上のとき、少なくとも前記第１の電線と前記第２の電線とにそれぞれ取り付けられる第２電流センサにより検出する第２の電流値に基づいて、前記第２電流センサの取り付け状態を判定する判定部と、を有する
パワーコンディショナ。
【請求項３】
前記判定部は、前記第１の電流値の単位時間当たりの変動量が前記所定値以上のときの前記第２の電流値の前記単位時間当たりの変動量に基づいて、前記第２電流センサが外れているか否かを判定する
請求項１又は２に記載のパワーコンディショナ。
【請求項４】
前記判定部は、前記第１の電流値の単位時間当たりの変動量が前記所定値以上のときの前記第２の電流値の前記単位時間当たりの変動量と変動方向とに基づいて、前記第２電流センサの取り付け状態を判定する
請求項３に記載のパワーコンディショナ。
【請求項５】
前記判定部は、前記第１の電流値の単位時間当たりの変動量が前記所定値以上のときに前記第２の電流値が前記単位時間当たりで変動しない場合、前記第２電流センサが外れていると判定する
請求項３又は４に記載のパワーコンディショナ。
【請求項６】
前記判定部は、前記第１の電流値の単位時間当たりの変動量が前記所定値以上のときの前記第１の電流値の前記単位時間当たりの変動方向と前記第２の電流値の前記単位時間当たりの変動方向とに基づいて、前記第２電流センサの取り付け方向が正しいか否かを判定する
請求項４に記載のパワーコンディショナ。
【請求項７】
前記判定部は、前記第２電流センサが前記第１の電線に取り付けられている場合、前記第１の電流値の単位時間当たりの変動量が前記所定値以上のときに前記第１の電流値の前記単位時間当たりの変動方向と前記第２の電流値の前記単位時間当たりの変動方向とが異なる場合、前記第２電流センサの取り付け方向が正常であると判定する
請求項６に記載のパワーコンディショナ。
【請求項８】
前記判定部は、前記第２電流センサが前記第２の電線に取り付けられている場合、前記第１の電流値の単位時間当たりの変動量が前記所定値以上のときに前記第１の電流値の前記単位時間当たりの変動方向と前記第２の電流値の前記単位時間当たりの変動方向とが同じ場合、前記第２電流センサの取り付け方向が正常であると判定する
請求項６に記載のパワーコンディショナ。
【請求項９】
前記判定部は、前記第１電流センサ及び前記第２電流センサの出力信号を前記第１の電流値及び前記第２の電流値に変換するＡ／Ｄコンバータと、前記第１の電流値の単位時間当たりの変動量が予め規定された所定値以上のとき、少なくとも前記第２の電流値に基づいて前記第２電流センサの取り付け状態を判定するＤＳＰ（Digital Signal Processor）とを有する
請求項１〜８のいずれか一項に記載のパワーコンディショナ。
【発明の詳細な説明】
【技術分野】
【０００１】  本開示は、パワーコンディショナに関する。
【背景技術】
【０００２】  太陽光発電装置等の発電装置の直流電力を交流電力に変換して、電力系統と連系して屋内交流負荷に電力を供給するパワーコンディショナを備えるシステムが知られている。このようなシステムでは、電力の売買のため、電力系統から屋内交流負荷に電力が供給される状態とパワーコンディショナから電力系統に逆潮流する状態とを検出するように、パワーコンディショナと電力系統との間の単相三線式の電線におけるＵ相の電線及びＷ相の電線のそれぞれに電流センサが設けられている。このようなシステムでは、誤った方向に電流センサが取り付けられる場合がある。このため、内部電力負荷を備え、接続機構によって電線を内部電力負荷に接続し、その内部電力負荷に電流を流すことで、電流センサの取付エラーを判断するものが提案されている（例えば、特許文献１参照）。
【先行技術文献】
【特許文献】
【０００３】
【特許文献１】国際公開ＷＯ２０１１／０９３１０９号公報
【発明の概要】
【発明が解決しようとする課題】
【０００４】  ところで、上記のようなシステムでは、Ｕ相の電線及びＷ相の電線のそれぞれに取り付けられた電流センサの取付エラーを判断するためにパワーコンディショナに設けられた内部電力負荷及び接続機構が必要であるため、パワーコンディショナの部品点数が増加してしまう。なお、このような問題は、単相三線式の電力系統に限られず、単相二線式の電力系統でも同様に生じる。【０００５】  本開示の目的は、追加の構成を不要とし、電力系統とパワーコンディショナとを接続する電線に取り付けられる電流センサの取り付け状態を検出できるパワーコンディショナを提供することにある。
【課題を解決するための手段】
【０００６】  本開示の一形態であるパワーコンディショナは、第１の電線と、第２の電線とを含む単相二線式の電力系統に連系するパワーコンディショナであって、直流電源装置が出力する電力を所定の直流電力に変換可能な変換部と、前記直流電力を交流電力に変換して出力可能なインバータ部と、前記インバータ部の出力電流を検出するための第１電流センサと、前記第１電流センサにより検出する第１の電流値と、前記第１の電線に取り付けられる第２電流センサにより検出する第２の電流値とに基づいて、前記第２電流センサの取り付け状態を判定する判定部と、を有する。【０００７】  インバータ部の出力電力と電力系統からの電力とを合算した電力を屋内交流負荷に供給するため、インバータ部の出力電力の変動方向と電力系統からの電力の変動方向とは逆方向となる。すなわち、屋内交流負荷の消費電力が一定の場合、インバータ部の出力電力が増加すると、電力系統からの電力が減少し、インバータ部の出力電力が減少すると、電力系統からの電力が増加する。また電力系統からの電力は、第２電流センサの第２の電流値から把握できる。【０００８】  ここで、インバータ部の出力電力の変動方向と電力系統からの電力の変動方向とは逆方向となるように第２電流センサを取り付ける方向が第２電流センサの取り付け方向として正常であるとすると、第２電流センサの取り付け方向が逆である場合、インバータ部の出力電力の変動方向と電力系統からの電力の変動方向とが同じ方向となる。このように、インバータ部の出力電力の変動方向と電力系統からの電力の変動方向との関係から第２電流センサの取り付け方向を判定できる。また、第２電流センサが外れている場合、インバータ部の出力電力が変動しても電力系統からの電力の変動に応じた信号を第２電流センサが出力しない。このように、インバータの出力電力の変動量と、電力系統からの電力の変動量とに応じて第２電流センサが外れていることを判定できる。【０００９】  この点を鑑みて、本パワーコンディショナは、第１電流センサにより検出する第１の電流値及び第２電流センサにより検出する第２の電流値に基づいて、第２電流センサの取り付け状態を判定することにより、追加の構成を不要とし、電力系統とパワーコンディショナとを接続する電線に取り付けられる電流センサの取り付け状態を検出できる。【００１０】  本開示の一形態であるパワーコンディショナは、第１の電線と、第２の電線と、中性線となる第３の電線とを含む単相三線式の電力系統に連系するパワーコンディショナであって、直流電源装置が出力する電力を所定の直流電力に変換可能な変換部と、前記直流電力を交流電力に変換して出力可能なインバータ部と、前記インバータ部の出力電流を検出するための第１電流センサと、前記第１電流センサにより検出する第１の電流値と、前記第１の電線と前記第２の電線とにそれぞれ取り付けられる第２電流センサにより検出する第２の電流値とに基づいて、前記第２電流センサの取り付け状態を判定する判定部と、を有する。【００１１】  この構成によれば、第１電流センサにより検出する第１の電流値及び第２電流センサにより検出する第２の電流値に基づいて、第２電流センサの取り付け状態を判定することにより、追加の構成を不要とし、電力系統とパワーコンディショナとを接続する電線に取り付けられる電流センサの取り付け状態を検出できる。
【発明の効果】
【００１２】  本開示の一形態であるパワーコンディショナによれば、追加の構成を不要とし、電力系統とパワーコンディショナとを接続する電線に取り付けられる電流センサの取り付け状態を検出できる。
【図面の簡単な説明】
【００１３】
【図１】第１実施形態のパワーコンディショナが用いられる電力管理システムの構成図。
【図２】パワーコンディショナのインバータ部及びその周辺の回路図。
【図３】インバータ部の出力電力及び電力系統からの買電電力の推移の一例を示すグラフ。
【図４】パワーコンディショナの判定部が実行する第２電流センサの取り付け状態を判定する処理の手順の一例を示すフローチャート。
【図５】インバータ部の出力電力が変動する前のインバータ部の出力電力と電力系統からの電力との関係を説明するための模式的な回路図。
【図６】インバータ部の出力電力が変動した後のインバータ部の出力電力と電力系統からの電力との関係を説明するための模式的な回路図。
【図７】別例のインバータ部の出力電力と電力系統からの電力との関係を説明するための模式的な回路図。
【図８】第２実施形態のパワーコンディショナが用いられる電力管理システムの構成図。
【図９】パワーコンディショナのインバータ部及びその周辺の回路図。
【図１０】パワーコンディショナの判定部が実行する第２電流センサの取り付け状態を判定する処理の手順の一例を示すフローチャート。
【図１１】インバータ部の出力電力が変動する前のインバータ部の出力電力と電力系統からの電力との関係を説明するための模式的な回路図。
【図１２】インバータ部の出力電力が変動した後のインバータ部の出力電力と電力系統からの電力との関係を説明するための模式的な回路図。
【発明を実施するための形態】
【００１４】  以下、図面を参照して、各実施形態について説明する。  （第１実施形態）  図１に示すように、電力管理システム１は、パワーコンディショナ１０と、パワーコンディショナ１０に電気的に接続された太陽光発電装置２及び直流電源装置の一例である蓄電装置３とを備える。パワーコンディショナ１０は、交流母線４を介して電力系統５に接続される。本実施形態のパワーコンディショナ１０は、交流母線４として第１の電線４Ａと、第２の電線４Ｂとを含む単相二線式の電力系統５に連系する。交流母線４には、図示しない分電盤等を介して負荷６が接続されている。負荷６は、例えば屋内交流負荷であり、照明、冷蔵庫、洗濯機、空気調和機、電子レンジ等が挙げられる。電力管理システム１は、パワーコンディショナ１０によって太陽光発電装置２、蓄電装置３、電力系統５、及び負荷６の間の電力の調整を行う。この調整の一例としては、太陽光発電装置２が発電した電力の電力系統５への逆潮流、蓄電装置３への蓄電、及び負荷６への供給の調整と、電力系統５の電力の蓄電装置３への蓄電及び負荷６への供給の調整とが挙げられる。なお、発電装置としては、太陽光発電装置のほか、例えば、風力発電装置、ガス発電装置、地熱発電装置等を用いることができる。
【００１５】  太陽光発電装置２は、図示しない光発電パネルを有し、光発電パネルが発電した直流電力をパワーコンディショナ１０に供給する。太陽光発電装置２は、例えば光発電パネルが出力する電力が最大となる出力電圧で電流を取り出す最大電力点追従制御（ＭＰＰＴ：Maximum Power Point Tracking）を実行する。
【００１６】  蓄電装置３は、直列に接続された複数の蓄電池を含む。パワーコンディショナ１０は、蓄電装置３の充電と放電とを制御する。  パワーコンディショナ１０は、ＰＶコンバータ１１、インバータ部１２、電圧センサ１３、変換部の一例である電力変換装置１４、及び制御装置２０を有する。ＰＶコンバータ１１、インバータ部１２、及び電力変換装置１４はそれぞれ、高圧直流バス１５に接続される。すなわち、ＰＶコンバータ１１とインバータ部１２と電力変換装置１４は、高圧直流バス１５を介して互いに接続されている。パワーコンディショナ１０には、報知部７が電気的に接続されている。報知部７は、パワーコンディショナ１０の外部に所定の情報を報知する。報知部７による報知手段としては、例えば、発光（発光色、点滅）、音声、表示部による表示が挙げられる。
【００１７】  太陽光発電装置２は、ＰＶコンバータ１１に接続される。ＰＶコンバータ１１は、季節や天候、時間帯等の日照条件によって変動する太陽光発電装置２を最大電力点追従制御（ＭＰＰＴ）にて高圧直流バス１５に出力する。ＰＶコンバータ１１が高圧直流バス１５に出力する設定電圧の一例は、３８０Ｖである。インバータ部１２は、ＰＶコンバータ１１と交流母線４とに接続されている。インバータ部１２は、直流交流変換装置（ＤＣ／ＡＣコンバータ）であり、高圧直流バス１５の直流電力を例えば実効値で２００Ｖの交流電力に変換して交流母線４に出力する。また、インバータ部１２は、交流母線４の交流電力を設定電圧の直流電力に変換して高圧直流バス１５に出力する。
【００１８】  図２に示すように、インバータ部１２は、フルブリッジ型のインバータ回路であり、４個のスイッチ素子１２ａ〜１２ｄを有する。スイッチ素子１２ａ，１２ｂは、高圧直流バス１５を構成する第１の電線１５Ｈと第２の電線１５Ｌとの間に直列接続されている。スイッチ素子１２ｃ，１２ｄは、第１の電線１５Ｈと第２の電線１５Ｌとの間に直列接続されている。スイッチ素子１２ａ，１２ｂとスイッチ素子１２ｃ，１２ｄとは並列接続されている。
【００１９】  インバータ部１２は、スイッチ素子１２ａとスイッチ素子１２ｂとの間の接続ノードＮ１に接続される第３電線１２Ｘと、スイッチ素子１２ｃとスイッチ素子１２ｄとの間の接続ノードＮ２に接続される第４電線１２Ｙとを有する。第３電線１２Ｘ及び第４電線１２Ｙは、パワーコンディショナ１０の一対の入出力端子１０Ｔに接続されている。一対の入出力端子１０Ｔには、交流母線４の第１の電線４Ａ及び第２の電線４Ｂが接続される。第３電線１２Ｘにはインダクタ１７Ｘが設けられ、第４電線１２Ｙにはインダクタ１７Ｙが設けられている。第３電線１２Ｘと第４電線１２Ｙとの間には、平滑用のコンデンサ１８及び電圧センサ１３が設けられている。電圧センサ１３は、第３電線１２Ｘと第４電線１２Ｙとの電圧であるインバータ部１２の出力電圧に応じた信号を出力する。
【００２０】  インバータ部１２は、インバータ部１２から出力される電流を検出するための第１電流センサ１６を有する。より詳細には、第１電流センサ１６は、第３電線１２Ｘに設けられ、第３電線１２Ｘに流れる電流に応じた信号を出力する。
【００２１】  また、図２に示されるように、交流母線４において負荷６と電力系統５との間の部分には、第２電流センサ８が設けられている。本実施形態では、第２電流センサ８は、交流母線４の第１の電線４Ａに取り付けられている。第２電流センサ８は、第１の電線４Ａに流れる電流に応じた信号を出力する。
【００２２】  蓄電装置３は、電力変換装置１４に接続される。電力変換装置１４は、蓄電装置３が出力する電力（直流電力）を所定の直流電力に変換する。電力変換装置１４は、所定の直流電力をインバータ部１２に出力する。電力変換装置１４の一例は、ＤＣ−ＤＣコンバータである。電力変換装置１４は、蓄電装置３が出力する電力を所定電圧の直流電力に変換してインバータ部１２に出力する。
【００２３】  図１に示すように、制御装置２０は、ＰＶコンバータ１１、インバータ部１２、及び電力変換装置１４を制御する制御部２１と、第２電流センサ８の取り付け状態を判定する判定部２２とを有する。
【００２４】  制御部２１は、図示しない駆動回路を介してスイッチ素子１２ａ〜１２ｄのゲート（制御端子）に電気的に接続され、スイッチ素子１２ａ〜１２ｄのオンオフを制御する制御信号をスイッチ素子１２ａ〜１２ｄのゲートに出力する。制御部２１は、予め定められる制御プログラムを実行する演算処理装置を含む。演算処理装置は、例えばＣＰＵ（Central Processing Unit）又はＭＰＵ（Micro Processing Unit）を含む。制御部２１は、１又は複数のマイクロコンピュータを含んでいてもよい。制御部２１は、複数の場所に離れて配置される複数の演算処理装置を含んでいてもよい。制御部２１は、記憶部をさらに含む。記憶部には、各種の制御プログラム及び各種の制御処理に用いられる情報が記憶される。記憶部は、例えば不揮発性メモリ及び揮発性メモリを含む。
【００２５】  判定部２２は、Ａ／Ｄコンバータ２３とＤＳＰ（Digital Signal Processor）２４とを有する。Ａ／Ｄコンバータ２３は、第１電流センサ１６、第２電流センサ８、及び電圧センサ１３が電気的に接続されている。第１電流センサ１６は、第３電線１２Ｘに流れる電流量に応じたアナログ信号を出力する。第２電流センサ８は、第１の電線４Ａに流れる電流量に応じたアナログ信号を出力する。電圧センサ１３は、インバータ部１２の出力電圧に応じたアナログ信号を出力する。Ａ／Ｄコンバータ２３は、第１電流センサ１６の出力信号を第１の電流値ＴＡ１に変換する。また、Ａ／Ｄコンバータ２３は、第２電流センサ８の出力信号を第２の電流値ＴＡ２に変換する。さらに、Ａ／Ｄコンバータ２３は、電圧センサ１３の出力信号を電圧値ＴＶに変換する。Ａ／Ｄコンバータ２３は、変換後の各値ＴＡ１，ＴＡ２，ＴＶをＤＳＰ２４に出力する。本実施形態では、ＤＳＰ２４は、第１の電流値ＴＡ１、第２の電流値ＴＡ２、及び電圧値ＴＶを取り込んで、デジタルフィルタによって微分処理を行い、処理後の値に基づいて第２電流センサ８の取り付け状態を判定する。より具体的には、第１電流センサ１６により検出した第１の電流値ＴＡ１と第２電流センサ８により検出した第２の電流値ＴＡ２とを同期した状態で、それぞれの増減方向を検出し、増加（＋）したのか、減少（−）したのかをデジタルフィルタによる微分処理によって算出し、第１の電流値ＴＡ１と第２の電流値ＴＡ２との積が正（＋）又は負（−）のいずれかに基づいて、第２電流センサ８の取り付け状態を判定する。
【００２６】  このような構成の電力管理システム１では、負荷６にはインバータ部１２からの出力電力及び電力系統５からの買電電力の少なくとも一方が供給されるため、負荷６の消費電力が一定の場合にインバータ部１２の出力電力と電力系統５からの買電電力とが連動して変動する。一例では、図３に示すように、インバータ部１２の出力電力が低下すると、電力系統５からの買電電力が増加し、インバータ部１２の出力電力が増加すると、電力系統５からの買電電力が減少する。すなわち、インバータ部１２の出力電力の変動方向に対して、正常に取り付けられた第２電流センサ８の出力信号により検出される電力系統５からの買電電力の変動方向が逆となる。
【００２７】  ところで、電力系統５からの買電電力は、第２電流センサ８により検出した第２の電流値ＴＡ２に基づいて算出される。電流センサによって検出した電流値のみでは、交流電流の流れる向きを特定することができないため、実際には電圧センサ１３によって検出したインバータ部１２の出力電圧値との位相差を検出し、その積（電力値）を算出することで、電力値とその方向（売電か買電か）を検出する。一方、第２電流センサ８は、施工業者によって交流母線４に接続されるため、第２電流センサ８の交流母線４への取り付け方向の間違いが生じるおそれがある。また第２電流センサ８が正常に取り付けられたとしても例えば経年劣化によって交流母線４から第２電流センサ８が外れてしまうおそれがある。このような第２電流センサ８の取り付け方向の間違いや第２電流センサ８が交流母線４から外れることが生じた場合、インバータ部１２の出力電力の変動方向に対して、電力系統５からの買電電力の変動方向が第２電流センサ８の取り付け方向が正常な場合における変動方向と異なる、又は電力系統５からの買電電力が変動しない状態として検出される。
【００２８】  そこで、本実施形態の判定部２２は、インバータ部１２の出力電力及び電力系統５からの買電電力を監視し、インバータ部１２の出力電力が変動した場合にインバータ部１２の出力電力及び電力系統５からの買電電力に基づいて第２電流センサ８の取り付け状態を判定する。ここで、第２電流センサ８の取り付け状態は、第２電流センサ８の交流母線４への取り付け方向が正常か否かと、第２電流センサ８が交流母線４から外れているか否かとを含む。
【００２９】  一方、インバータ部１２の出力電力は、ノイズ等の影響により微小に変動する場合がある。ノイズ等によってインバータ部１２の出力電力が変動した場合に電力系統５からの買電電力が連動して変動しない場合があり、第２電流センサ８の取り付け状態を誤判定してしまうおそれがある。このため、本実施形態の判定部２２は、インバータ部１２の出力電力の単位時間当たりの変動量が予め規定された所定値ＶＸ以上のときに第２電流センサ８の取り付け状態を判定する。ここで、所定値ＶＸとは、ノイズ等によるインバータ部１２の出力電力の変動の最大値よりも大きい値であり、試験等により予め設定される。
【００３０】  図４は、判定部２２が実行する第２電流センサ８の取り付け状態の判定処理の手順の一例を示すフローチャートである。判定部２２は、制御装置２０に電力が供給されたときに処理を開始し、制御装置２０への電力の供給が停止されるまで処理を所定期間毎に繰り返し実行する。なお、以下のフローチャートの説明において、買電電力の変動方向及び変動量は、第２電流センサ８の出力信号により算出したものであり、交流母線４における実際の変動方向や変動量とは異なる。
【００３１】  判定部２２は、ステップＳ１１においてインバータ部１２の出力電力の単位時間当たりの変動量が所定値ＶＸ以上か否かを判定する。判定部２２は、インバータ部１２の出力電力の単位時間当たりの変動量を演算する。一例では、判定部２２は、単位時間におけるインバータ部１２の出力電力の最小値と最大値との差を、インバータ部１２の出力電力の単位時間当たりの変動量として演算する。なお、単位時間とは、インバータ部１２の出力電力の変動がノイズ等による出力電力の変動ではないことを判定するための時間であり、試験等により予め設定される。一例では、単位時間とは、電力系統５の交流電力の１周期（例えば１／５０（ｓ）又は１／６０（ｓ））となる時間である。本実施形態では、単位時間を１０（ｍｓ）に設定し、所定値ＶＸを２００（Ｗ）に設定している。
【００３２】  またインバータ部１２の出力電力は、第１電流センサ１６により検出する第１の電流値ＴＡ１と、電圧センサ１３により検出する電圧値ＴＶとの積により算出される。インバータ部１２の出力電力は、電圧センサ１３により検出した電圧値ＴＶと、第１電流センサ１６により検出した第１の電流値ＴＡ１がともに正弦波状であるため、互いに位相差によって有効電力と無効電力とに分類される。電圧値ＴＶと第１の電流値ＴＡ１との位相差は、負荷６によって変動するため、電力値を正確に得るために積をとって算出される。ただし、第２電流センサ８の取り付け状態を判定するためには、第１の電流値ＴＡ１と第２の電流値ＴＡ２とが同期された状態で、互いに増減方向が同じ方向か異なる方向かが判別できれば判別可能であるため、必ずしも電力値を求める必要はない。このため、ステップＳ１１の処理は、インバータ部１２の単位時間当たりの出力電流の変化量が予め規定された所定値ＡＸ以上か否かの判定とも言える。すなわちステップＳ１１の処理は、第１電流センサ１６により検出した第１の電流値ＴＡ１の単位時間当たりの変動量が所定値ＡＸ以上か否かの判定であるとも言える。ここで、所定値ＡＸとは、インバータ部１２の出力電流の変動がノイズ等による出力電流の変動ではないことを判定するための値であり、試験等により予め設定される。判定値の一例は、１（Ａ）である。
【００３３】  判定部２２は、ステップＳ１１においてインバータ部１２の出力電力の単位時間当たりの変動量が所定値ＶＸ以上ではない場合（ステップＳ１１：ＮＯ）、処理を一旦終了する。すなわち、判定部２２は、第１の電流値ＴＡ１の単位時間当たりの変動量が所定値ＡＸ未満の場合、処理を一旦終了する。
【００３４】  判定部２２は、インバータ部１２の出力電力の単位時間当たりの変動量が所定値ＶＸ以上である場合（ステップＳ１１：ＹＥＳ）、ステップＳ１２において電力系統５からの買電電力の変動量が所定値ＶＸ以上か否かを判定する。なお、ステップＳ１２の処理は、電力系統５から第１の電線４Ａに供給される単位時間当たりの電流の変化量が所定値ＡＸ以上か否かの判定とも言える。すなわちステップＳ１２の処理は、第２電流センサ８により検出した第２の電流値ＴＡ２の単位時間当たりの変動が所定値ＡＸ以上か否かの判定であるとも言える。
【００３５】  判定部２２は、例えば、単位時間における電力系統５からの買電電力の最小値と最大値との差を、単位時間当たりの電力系統５からの買電電力の変動量として算出する。電力系統５からの買電電力は、第２電流センサ８が検出する第２の電流値ＴＡ２と、交流母線４の第１の電線４Ａと第２の電線４Ｂとの間の電圧値との積により算出される。なお、ステップＳ１２の処理において、所定値ＶＸに代えて、０よりも大きく、かつ所定値ＶＸよりも小さい所定値ＶＹ（０＜ＶＹ＜ＶＸ）を用いて、電力系統５からの買電電力の単位時間当たりの変動量が所定値ＶＹ以上か否かの判定としてもよい。
【００３６】  判定部２２は、電力系統５からの買電電力の単位時間当たりの変動量が所定値ＶＸ以上である場合（ステップＳ１２：ＹＥＳ）、ステップＳ１３においてインバータ部１２の出力電力の単位時間当たりの変動方向と電力系統５からの買電電力の単位時間当たりの変動方向とが逆か否かを判定する。一例では、判定部２２は、電力が増加する方向をプラスとし、電力が減少する方向をマイナスと規定し、インバータ部１２の出力電力の単位時間当たりの変動方向及び電力系統５からの買電電力の単位時間当たりの変動方向をそれぞれ、プラス及びマイナスのいずれかとして設定する。そして判定部２２は、インバータ部１２の出力電力の単位時間当たりの変動方向と電力系統５からの買電電力の単位時間当たりの変動方向とを乗算することによって、乗算の結果がマイナスか否かを判定する。判定部２２は、その乗算の結果がマイナスである場合、インバータ部１２の出力電力の単位時間当たりの変動方向と電力系統５からの買電電力の単位時間当たりの変動方向とが逆であると判定する。一例では、インバータ部１２の出力電力が増加（プラス）し、電力系統５からの買電電力が減少（マイナス）する場合、判定部２２は、プラス×マイナスを演算する。判定部２２は、演算結果としてマイナスとなるため、インバータ部１２の出力電力の単位時間当たりの変動方向と電力系統５からの買電電力の単位時間当たりの変動方向とが逆であると判定する。なお、ステップＳ１３の処理は、第１の電流値ＴＡ１が単位時間当たりの変動量が所定値ＡＸ以上のときの第１の電流値ＴＡ１の単位時間当たりの変動方向と第２の電流値ＴＡ２の単位時間当たりの変動方向とが逆か否かを判定するとも言える。
【００３７】  判定部２２は、インバータ部１２の出力電力の単位時間当たりの変動方向と電力系統５からの買電電力の単位時間当たりの変動方向とが逆である場合（ステップＳ１３：ＹＥＳ）、ステップＳ１４において第２電流センサ８の取り付け方向は正常であると判定し、処理を一旦終了する。すなわち、判定部２２は、第１の電流値ＴＡ１の単位時間当たりの変動方向と第２の電流値ＴＡ２の単位時間当たりの変動方向とに基づいて第２電流センサ８の取り付け方向を判定する。本実施形態では、判定部２２は、第１の電流値ＴＡ１の単位時間当たりの変動方向と第２の電流値ＴＡ２の単位時間当たりの変動方向とが逆の場合、第２電流センサ８の取り付け方向が正常であると判定する。
【００３８】  一方、判定部２２は、インバータ部１２の出力電力の単位時間当たりの変動方向と電力系統５からの買電電力の単位時間当たりの変動方向とが同じ向きである場合（ステップＳ１３：ＮＯ）、ステップＳ１５において第２電流センサ８の取り付け方向が異常であると判定する。本実施形態では、判定部２２は、第１の電流値ＴＡ１の単位時間当たりの変動方向と第２の電流値ＴＡ２の単位時間当たりの変動方向とが同じ方向の場合、第２電流センサ８の取り付け方向が異常であると判定する。
【００３９】  判定部２２は、ステップＳ１５の処理において、第２電流センサ８の取り付け方向が異常である旨を報知部７に出力する。一例では、報知部７は、液晶パネル等の表示部を有する。報知部７は、第２電流センサ８の取り付け方向が異常である旨を表示部に表示する。例えば施工者が電力管理システム１を施工する場合に報知部７の表示部を視認することによって、第２電流センサ８の取り付け方向が異常であることを認識できる。
【００４０】  また判定部２２は、電力系統５からの買電電力の単位時間当たりの変動量が所定値ＶＸ未満である場合（ステップＳ１２：ＮＯ）、ステップＳ１６において第２電流センサ８が交流母線４から外れていると判定し、処理を一旦終了する。このように、判定部２２は、第２の電流値ＴＡ２の単位時間当たりの変動量が所定値ＡＸ未満の場合、第２電流センサ８が交流母線４から外れていると判定する。一例では、判定部２２は、第１の電流値ＴＡ１の単位時間当たりの変動量が所定値ＡＸ以上のときに第２の電流値ＴＡ２が単位時間にわたり変動していないとき、第２電流センサ８が交流母線４から外れていると判定する。判定部２２は、ステップＳ１６の処理において、第２電流センサ８が交流母線４から外れている旨を報知部７に出力する。一例では、報知部７は、第２電流センサ８が交流母線４から外れている旨を表示部に表示する。
【００４１】  図５及び図６を用いて、第２電流センサ８の取り付け状態の判定処理の一実施態様について説明する。図５は、インバータ部１２の出力電力が変動する前の状態を示し、図６は、インバータ部１２の出力電力が変動した後の状態を示している。図５及び図６において負荷６の消費電力は３００Ｗと規定する。
【００４２】  図５に示すとおり、パワーコンディショナ１０から負荷６に２００Ｗの電力が出力される場合、すなわちインバータ部１２の出力電力が２００Ｗの場合、電力系統５から負荷６に供給される買電電力は１００Ｗとなる。
【００４３】  図６に示すとおり、パワーコンディショナ１０から負荷６に４００Ｗの電力が出力される場合、すなわちインバータ部１２の出力電力が４００Ｗの場合、電力系統５から負荷６に買電電力は供給されず、逆潮流されてパワーコンディショナ１０から電力系統５に１００Ｗの電力が供給される。そして図５及び図６に示すとおり、インバータ部１２の出力電力が２００Ｗから４００Ｗに変動した場合、電力系統５から負荷６に供給される電力は１００Ｗから「−１００Ｗ」となる。すなわち、パワーコンディショナ１０から電力系統５に１００Ｗの売電電力が供給されることになる。
【００４４】  ここで、出力電力、買電電力、及び売電電力とは、実際にはインバータ部１２の電圧センサ１３により検出した電圧値ＴＶと、第１電流センサ１６により検出した第１の電流値ＴＡ１と、第２電流センサ８により検出した第２の電流値ＴＡ２とが全て正弦波状であるため、例えば電圧値ＴＶの１周期間における実効値として、電圧値ＴＶと第１の電流値ＴＡ１との積、及び電圧値ＴＶと第２の電流値ＴＡ２との積を算出している。したがって、電圧値ＴＶの電圧位相に対して、第２の電流値ＴＡ２の電流位相が反転していれば売電、反転してなければ買電と判断する。
【００４５】  ここで、電力系統５からパワーコンディショナ１０又は負荷６に向けて流れる電流をプラスの信号、パワーコンディショナ１０から電力系統５に向けて流れる電流をマイナスの信号として出力する第２電流センサ８の取り付け方向を正常としているため、電力系統５から負荷６に供給される電流値（第２の電流値ＴＡ２）は減少する。このため、判定部２２は、電力系統５から負荷６に供給される買電電力が減少すると判定する。そして判定部２２は、インバータ部１２の出力電力の変動方向（プラス）と電力系統５から負荷６に供給される買電電力の変動方向（マイナス）との積の結果、マイナスとなるため、第２電流センサ８の取り付け状態が正常であると判定する。
【００４６】  一方、第２電流センサ８の取り付け方向が逆であれば、電力系統５から負荷６に供給される電流値（第２の電流値ＴＡ２）は増加する。このため、判定部２２は、電力系統５から負荷６に供給される買電電力が増加すると判定する。そして判定部２２は、インバータ部１２の出力電力の変動方向（プラス）と電力系統５から負荷６に供給される買電電力の変動方向（プラス）との積の結果、プラスとなるため、第２電流センサ８の取り付け状態が異常であると判定する。
【００４７】  また、第２電流センサ８が交流母線４の第１の電線４Ａから外れていれば、第２電流センサ８が検出する第２の電流値ＴＡ２が「０Ａ」又は所定の固定値となるため、判定部２２は、電力系統５から負荷６に供給される買電電力が「０Ｗ」又は所定の固定値であると判定する。そして判定部２２は、インバータ部１２の出力電力が変動したにもかかわらず、電力系統５から負荷６に供給される買電電力が変動しないと判定し、第２電流センサ８が交流母線４から外れていると判定する。
【００４８】  なお、複数のパワーコンディショナ１０が交流母線４に接続する場合でも第２電流センサ８の取り付け状態を判定できる。より詳細には、図７に示されるとおり、電力管理システム１は、互いに並列接続された２つのパワーコンディショナ１０Ａ，１０Ｂを有する。２つのパワーコンディショナ１０Ａ，１０Ｂはそれぞれ、交流母線４に接続されている。例えばパワーコンディショナ１０Ａから負荷６に４００Ｗの電力が出力され、パワーコンディショナ１０Ｂから負荷６に電力が出力されていない場合、パワーコンディショナ１０Ａからの電力によって電力系統５に逆潮流している。この場合、パワーコンディショナ１０Ｂは、電力を負荷６に出力していないにもかかわらず電力系統５に逆潮流していると判断して、パワーコンディショナ１０Ｂに設けられた系統連系リレー（図示略）によってインバータ部１２と負荷６及び電力系統５とを解列することを回避できる。
【００４９】  本実施形態は、以下の効果が得られる。  （１−１）判定部２２は、第１電流センサ１６により検出した第１の電流値ＴＡ１及び第２電流センサ８により検出した第２の電流値ＴＡ２に基づいて、第２電流センサ８の取り付け状態を判定する。この構成によれば、第２電流センサ８の取り付け状態を判定するための専用の構成の追加を不要とし、電力系統５とパワーコンディショナ１０とを接続する第１の電線４Ａに取り付けられる第２電流センサ８の取り付け状態を検出できる。
【００５０】  （１−２）判定部２２は、第１の電流値ＴＡ１の単位時間当たりの変動量が判定値以上のとき、第２の電流値ＴＡ２の単位時間当たりの変動量と変動方向とに基づいて、第２電流センサ８の取り付け状態を判定する。この構成によれば、第１の電流値ＴＡ１の単位時間当たりの変動量が判定値以上のときに第２電流センサ８の取り付け状態を判定することによって、ノイズ等によって第１の電流値ＴＡ１が変化するときに第２電流センサ８の取り付け状態の判定を行わない。したがって、第２電流センサ８の取り付け状態の誤判定を抑制できる。
【００５１】  （１−３）判定部２２は、第１の電流値ＴＡ１の単位時間当たりの変動量が判定値以上のとき、第２の電流値ＴＡ２の単位時間当たりの変動量に基づいて、第２電流センサ８が第１の電線４Ａから外れているか否かを判定する。この構成によれば、判定部２２は、第１の電流値ＴＡ１が変動したにもかかわらず第２の電流値ＴＡ２が変動しない場合、第２電流センサ８が第１の電線４Ａから外れていると判定する。このように、第２電流センサ８が第１の電線４Ａから外れているか否かを容易に判定できる。
【００５２】  （１−４）判定部２２は、第１の電流値ＴＡ１の単位時間当たりの変動量が判定値以上のときの第１の電流値ＴＡ１の変動方向と第２の電流値ＴＡ２の変動方向とに基づいて、第２電流センサ８の取り付け方向が正しいか否かを判定する。この構成によれば、第１の電流値ＴＡ１の単位時間当たりの変動方向と第２の電流値ＴＡ２の単位時間当たりの変動方向とから第２電流センサ８の取り付け方向を容易に判定できる。
【００５３】  （１−５）判定部２２は、Ａ／Ｄコンバータ２３及びＤＳＰ２４を有する。この構成によれば、第１電流センサ１６の出力信号及び第２電流センサ８の出力信号をそれぞれ第１の電流値ＴＡ１及び第２の電流値ＴＡ２に変換して微分処理を行うことによって、第２電流センサ８の取り付け状態の判定を容易かつ速やかに実行できる。
【００５４】  （１−６）判定部２２は、第２電流センサ８の取り付け状態を報知部７に出力する。この構成によれば、第２電流センサ８の取り付け状態が異常である場合、報知部７を介して施工者に第２電流センサ８の取り付け状態が異常であることを報知できる。
【００５５】  （第２実施形態）  図８〜図１２を参照して、第２実施形態のパワーコンディショナ１０について説明する。本実施形態のパワーコンディショナ１０は、第１実施形態と比較して、単相三線式の電力系統５に適用される点が異なる。以下の説明において、第１実施形態と共通の構成要素には同一の符号を付し、その説明を省略する。
【００５６】  図８に示すように、電力管理システム１の交流母線４は、第１の電線４Ａ、第２の電線４Ｂ、及び中性線となる第３の電線４Ｃを有する。第２の電線４Ｂには、第２電流センサ９が設けられている。第２電流センサ９は、制御装置２０のＡ／Ｄコンバータ２３に電気的に接続されている。第２電流センサ９は、第２の電線４Ｂに流れる電流量に応じた信号をＡ／Ｄコンバータ２３に出力する。Ａ／Ｄコンバータ２３は、第２電流センサ９の出力信号を第２の電流値ＴＡ３に変換する。
【００５７】  本実施形態の電力管理システム１では、第１の電線４Ａと第３の電線４Ｃとに第１負荷６Ａが接続され、第２の電線４Ｂと第３の電線４Ｃとに第２負荷６Ｂが接続されている。  図９に示すように、パワーコンディショナ１０は、第１の電線４Ａ、第２の電線４Ｂ、及び第３の電線４Ｃに接続される３つの入出力端子１０Ｔを有する。インバータ部１２の第３電線１２Ｘは、入出力端子１０Ｔを介して第１の電線４Ａに接続され、第４電線１２Ｙは、入出力端子１０Ｔを介して第２の電線４Ｂに接続される。インバータ部１２は、第５電線１２Ｚをさらに有する。第５電線１２Ｚは、入出力端子１０Ｔを介して第３の電線４Ｃに接続されている。第３電線１２Ｘと第５電線１２Ｚとの間には、平滑用のコンデンサ１８Ａが設けられ、第４電線１２Ｙと第５電線１２Ｚとの間には、平滑用のコンデンサ１８Ｂが設けられている。
【００５８】  電圧センサ１３は、第１電圧センサ１３Ａ及び第２電圧センサ１３Ｂを有する。第１電圧センサ１３Ａは、第３電線１２Ｘと第５電線１２Ｚとの間の電圧を検出する。第２電圧センサ１３Ｂは、第４電線１２Ｙと第５電線１２Ｚとの間の電圧を検出する。第１電圧センサ１３Ａ及び第２電圧センサ１３Ｂは、Ａ／Ｄコンバータ２３（図８参照）に電気的に接続されている。第１電圧センサ１３Ａは、第３電線１２Ｘと第５電線１２Ｚとの間の電圧に応じた信号をＡ／Ｄコンバータ２３に出力する。第２電圧センサ１３Ｂは、第４電線１２Ｙと第５電線１２Ｚとの間の電圧に応じた信号をＡ／Ｄコンバータ２３に出力する。Ａ／Ｄコンバータ２３は、第１電圧センサ１３Ａの出力信号を第１の電圧値ＴＶ１に変換する。またＡ／Ｄコンバータ２３は、第２電圧センサ１３Ｂの出力信号を第２の電圧値ＴＶ２に変換する。Ａ／Ｄコンバータ２３は、変換後の値ＴＶ１，ＴＶ２をＤＳＰ２４に出力する。本実施形態では、ＤＳＰ２４は、第１の電流値ＴＡ１、第２の電流値ＴＡ２，ＴＡ３、第１の電圧値ＴＶ１、及び第２の電圧値ＴＶ２を取り込み、それらの値に基づいて第２電流センサ８，９の取り付け状態を判定する。
【００５９】  図８の判定部２２は、第１電圧センサ１３Ａにより検出した第１の電圧値ＴＶ１と第２電圧センサ１３Ｂにより検出した第２の電圧値ＴＶ２とを加算した値と、第１電流センサ１６により検出した第１の電流値ＴＡ１との積によって、インバータ部１２の出力電力を演算する。判定部２２は、第１の電線４Ａと第３の電線４Ｃとの間の電圧と、第２電流センサ８が検出した第２の電流値ＴＡ２との積によって、電力系統５が第１負荷６Ａに供給する買電電力を演算する。判定部２２は、第２の電線４Ｂと第３の電線４Ｃとの間の電圧と、第２電流センサ９が検出した第２の電流値ＴＡ３との積によって、電力系統５が第２負荷６Ｂに供給する買電電力を演算する。
【００６０】  また、判定部２２は、第２電流センサ８の取り付け状態及び第２電流センサ９の取り付け状態をそれぞれ判定する。図１０は、判定部２２によって第２電流センサ８の取り付け状態及び第２電流センサ９の取り付け状態をそれぞれ判定する判定処理の手順の一例を示すフローチャートである。判定部２２は、制御装置２０に電力が供給されたときに処理を開始し、制御装置２０への電力の供給が停止されるまで処理を所定期間毎に繰り返し実行する。
【００６１】  本実施形態の第２電流センサ８の取り付け状態の判定処理は、第１実施形態の第２電流センサ８の取り付け状態の判定処理と同様である。すなわち、図１０のステップＳ２１の処理は、図４のステップＳ１１の処理と同じであり、ステップＳ２２の処理は、ステップＳ１２の処理と同じであり、ステップＳ２３の処理は、ステップＳ１３の処理と同じであり、ステップＳ２４の処理は、ステップＳ１４の処理と同じであり、ステップＳ２５の処理は、ステップＳ１５の処理と同じであり、ステップＳ２６の処理は、ステップＳ１６の処理と同じである。なお、ステップＳ２１の判定処理では、電力系統５から第１負荷６Ａに供給される買電電力の単位時間当たりの変動量が所定値ＶＸ以上か否かを判定する。
【００６２】  判定部２２は、インバータ部１２の出力電力の単位時間当たりの変動量が所定値ＶＸ以上である場合（ステップＳ２１：ＹＥＳ）、ステップＳ３１において電力系統５から第２負荷６Ｂに供給される買電電力の単位時間当たりの変動量が所定値ＶＸ以上か否かを判定する。判定部２２は、単位時間における電力系統５から第２負荷６Ｂに供給される買電電力の最小値と最大値との差を電力系統５から第２負荷６Ｂに供給される買電電力の変動量として算出する。ここで、ステップＳ３１の処理は、第２の電線４Ｂと第３の電線４Ｃとの間の電圧は一定であるため、第２の電流値ＴＡ３の単位時間当たりの変動量が判定値以上か否かの判定と言える。
【００６３】  判定部２２は、電力系統５から第２負荷６Ｂに供給される買電電力の単位時間当たりの変動量が所定値ＶＸ以上である場合（ステップＳ３１：ＹＥＳ）、ステップＳ３２においてインバータ部１２の出力電力の単位間当たりの変動方向と電力系統５から第２負荷６Ｂに供給される買電電力の単位時間当たりの変動方向とが同じ方向か否かを判定する。ここで、ステップＳ３２の判定処理は、インバータ部１２の出力電圧と、第２の電線４Ｂと第３の電線４Ｃとの間の電圧とがそれぞれ一定であるため、第１の電流値ＴＡ１の単位時間当たりの変動方向と第２の電流値ＴＡ３の単位時間当たりの変動方向とが同じ方向か否かの判定であると言える。
【００６４】  判定部２２は、インバータ部１２の出力電力の単位時間当たりの変動方向と電力系統５から第２負荷６Ｂに供給する買電電力の単位時間当たりの変動方向とが同じ方向である場合（ステップＳ３２：ＹＥＳ）、ステップＳ３３において第２電流センサ９の取り付け方向は正常であると判定し、処理を一旦終了する。すなわち、判定部２２は、第１の電流値ＴＡ１の単位時間当たりの変動方向と第２の電流値ＴＡ３の単位時間当たりの変動方向とが同じ方向の場合に第２電流センサ９の取り付け方向が正常であると判定する。
【００６５】  一方、判定部２２は、インバータ部１２の出力電力の単位時間当たりの変動方向と電力系統５からの買電電力の単位時間当たりの変動方向とが逆である場合（ステップＳ３２：ＮＯ）、ステップＳ３４において第２電流センサ９の取り付け方向が異常であると判定する。すなわち、判定部２２は、第１の電流値ＴＡ１の単位時間当たりの変動方向と第２の電流値ＴＡ３の単位時間当たりの変動方向とが逆の場合に第２電流センサ９の取り付け方向が異常であると判定する。判定部２２は、ステップＳ３４の処理において、第２電流センサ９の取り付け方向が異常である旨を報知部７に出力する。一例では、報知部７は、第２電流センサ９の取り付け方向が異常である旨を表示部に表示する。例えば施工者が電力管理システム１を施工する場合に報知部７の表示部を視認することによって、第２電流センサ９の取り付け方向が異常であることを認識できる。
【００６６】  また判定部２２は、電力系統５から第２負荷６Ｂに供給する買電電力の単位時間当たりの変動量が所定値ＶＸ未満である場合（ステップＳ３１：ＮＯ）、ステップＳ３５において第２電流センサ９が交流母線４の第２の電線４Ｂから外れていると判定し、処理を一旦終了する。すなわち、判定部２２は、第２の電流値ＴＡ３の単位時間当たりの変動量が判定値未満の場合に第２電流センサ９が第２の電線４Ｂから外れていると判定する。判定部２２は、ステップＳ３５の処理において、第２電流センサ９が第２の電線４Ｂから外れている旨を報知部７に出力する。一例では、報知部７は、第２電流センサ９が第２の電線４Ｂから外れている旨を表示部に表示する。
【００６７】  図１１及び図１２を用いて、第２電流センサ８の取り付け状態及び第２電流センサ９の取り付け状態の判定処理の一実施態様について説明する。図１１は、インバータ部１２の出力電力が変動する前の状態を示し、図１２は、インバータ部１２の出力電力が変動した後の状態を示している。図１１及び図１２において第１負荷６Ａの消費電力を３００Ｗと規定し、第２負荷６Ｂの消費電力を５０Ｗと規定する。
【００６８】  図１１に示すとおり、パワーコンディショナ１０から第１負荷６Ａに２００Ｗの電力が出力される場合、すなわちインバータ部１２の出力電力が２００Ｗの場合、電力系統５から第１負荷６Ａに供給される買電電力は１００Ｗとなる。第３の電線４Ｃには、第１負荷６Ａ及び第２負荷６Ｂが接続されるため、３５０Ｗの電力が供給される。すなわち第３の電線４Ｃを介して３５０Ｗの電力が電力系統５に供給される。第２の電線４Ｂには、２５０Ｗの電力が供給される。すなわち電力系統５に第３の電線４Ｃを介して３５０Ｗの買電電力が供給される一方、第１の電線４Ａを介して第１負荷６Ａに１００Ｗの電力が供給されるため、電力系統５から第２の電線４Ｂに２５０Ｗの電力が供給される。
【００６９】  図１２に示すとおり、パワーコンディショナ１０から第１負荷６Ａに４００Ｗの電力が出力される場合、すなわちインバータ部１２の出力電力が４００Ｗの場合、電力系統５から第１負荷６Ａに買電電力は供給されず、逆潮流されてパワーコンディショナ１０から電力系統５に１００Ｗの電力が供給される。そして図１１及び図１２に示すとおり、インバータ部１２の出力電力が２００Ｗから４００Ｗに変動した場合、電力系統５から第１負荷６Ａに供給される電力は１００Ｗから「−１００Ｗ」となる。すなわちパワーコンディショナ１０から電力系統５に１００Ｗの売電電力が供給される。
【００７０】  ここで、第２電流センサ８の取り付け方向が正常であれば、インバータ部１２の出力電力が増加すると、電力系統５から第１負荷６Ａに供給される電流値（第２の電流値ＴＡ２）は減少する。このため、判定部２２は、電力系統５から第１負荷６Ａに供給される買電電力が減少すると判定する。そして判定部２２は、インバータ部１２の出力電力の変動方向（プラス）と電力系統５から第１負荷６Ａに供給される買電電力の変動方向（マイナス）との積の結果、マイナスとなるため、第２電流センサ８の取り付け状態が正常であると判定する。
【００７１】  一方、第２電流センサ８の取り付け方向が逆であれば、インバータ部１２の出力電力が増加すると、電力系統５から第１負荷６Ａに供給される電流値（第２の電流値ＴＡ２）は増加する。このため、判定部２２は、電力系統５から第１負荷６Ａに供給される買電電力が増加すると判定する。そして判定部２２は、インバータ部１２の出力電力の変動方向（プラス）と電力系統５から第１負荷６Ａに供給される買電電力の変動方向（プラス）との積の結果、プラスとなるため、第２電流センサ８の取り付け状態が異常であると判定する。
【００７２】  また、第２電流センサ８が交流母線４の第１の電線４Ａから外れていれば、第２電流センサ８が検出する第２の電流値ＴＡ２が「０Ａ」又は所定の固定値となるため、判定部２２は、電力系統５から第１負荷６Ａに供給される買電電力が「０Ｗ」又は所定の固定値であると判定する。そして判定部２２は、インバータ部１２の出力電力が変動したにもかかわらず、電力系統５から第１負荷６Ａに供給される買電電力が変動しないと判定し、第２電流センサ８が交流母線４から外れていると判定する。
【００７３】  また図１２に示すとおり、パワーコンディショナ１０から第１負荷６Ａに４００Ｗの電力が出力される場合、パワーコンディショナ１０から電力系統５に１００Ｗの買電電力が供給されるため、電力系統５から第２の電線４Ｂに供給する買電電力が４５０Ｗとなる。すなわち、インバータ部１２の出力電力が増加すると、電力系統５から第２の電線４Ｂに供給する買電電力が増加する。
【００７４】  ここで、第２電流センサ９の取り付け方向が正常であれば、インバータ部１２の出力電力が増加すると、電力系統５から第２の電線４Ｂに供給される電流値（第２の電流値ＴＡ３）は増加する。このため、判定部２２は、電力系統５から第２の電線４Ｂに供給される買電電力が増加すると判定する。そして判定部２２は、インバータ部１２の出力電力の変動方向（プラス）と電力系統５から第２の電線４Ｂに供給される買電電力の変動方向（マイナス）との積の結果、プラスとなるため、第２電流センサ９の取り付け状態が正常であると判定する。
【００７５】  一方、第２電流センサ９の取り付け方向が逆であれば、インバータ部１２の出力電力が増加すると、電力系統５から第２の電線４Ｂに供給される電流値（第２の電流値ＴＡ３）は減少する。このため、判定部２２は、電力系統５から第２の電線４Ｂに供給される買電電力が減少すると判定する。そして判定部２２は、インバータ部１２の出力電力の変動方向（プラス）と電力系統５から第２の電線４Ｂに供給される買電電力の変動方向（マイナス）との積の結果、マイナスとなるため、第２電流センサ９の取り付け状態が異常であると判定する。
【００７６】  また、第２電流センサ９が第２の電線４Ｂから外れていれば、第２電流センサ９が検出する第２の電流値ＴＡ３が「０Ａ」又は所定の固定値となるため、判定部２２は、電力系統５から第２の電線４Ｂに供給される買電電力が「０Ｗ」又は所定の固定値であると判定する。そして判定部２２は、インバータ部１２の出力電力が変動したにもかかわらず、電力系統５から第２の電線４Ｂに供給される買電電力が変動しないと判定し、第２電流センサ９が第２の電線４Ｂから外れていると判定する。
【００７７】  本実施形態によれば、以下の効果が得られる。  （２−１）判定部２２は、第１の電流値ＴＡ１の単位時間当たりの変動量が判定値以上のときに、第２の電流値ＴＡ３に基づいて第２電流センサ９の取り付け状態を判定する。この構成によれば、第２電流センサ９の取り付け状態を判定するための専用の構成の追加を不要とし、電力系統５とパワーコンディショナ１０とを接続する第２の電線４Ｂに取り付けられる第２電流センサ９の取り付け状態を検出できる。
【００７８】  （２−２）判定部２２は、第１の電流値ＴＡ１の単位時間当たりの変動量が判定値以上のとき、第２の電流値ＴＡ３の単位時間当たりの変動量と変動方向とに基づいて、第２電流センサ９の取り付け状態を判定する。この構成によれば、第１の電流値ＴＡ１の単位時間当たりの変動量が判定値以上のときに第２電流センサ９の取り付け状態を判定することによって、ノイズ等によって第１の電流値ＴＡ１が変動するときに第２電流センサ９の取り付け状態の判定を行わない。したがって、第２電流センサ９の取り付け状態の誤判定を抑制できる。
【００７９】  （２−３）判定部２２は、第１の電流値ＴＡ１の単位時間当たりの変動量が判定値以上のとき、第２の電流値ＴＡ３の単位時間当たりの変動量に基づいて、第２電流センサ９が第２の電線４Ｂから外れているか否かを判定する。この構成によれば、判定部２２は、第１の電流値ＴＡ１が変動したにもかかわらず第２の電流値ＴＡ３が変動しない場合、第２電流センサ９が第２の電線４Ｂから外れていると判定する。このように、第２電流センサ９が第２の電線４Ｂから外れているか否かを容易に判定できる。
【００８０】  （２−４）判定部２２は、第１の電流値ＴＡ１の単位時間当たりの変動量が判定値以上のときの第１の電流値ＴＡ１の単位時間当たりの変動方向と第２の電流値ＴＡ３の単位時間当たりの変動方向に基づいて、第２電流センサ９の取り付け方向が正しいか否かを判定する。この構成によれば、第１の電流値ＴＡ１の単位時間当たりの変動方向と第２の電流値ＴＡ３の単位時間当たりの変動方向とから第２電流センサ９の取り付け方向を容易に判定できる。
【００８１】  （２−５）判定部２２は、Ａ／Ｄコンバータ２３及びＤＳＰ２４を有する。この構成によれば、第１電流センサ１６の出力信号及び第２電流センサ８，９の出力信号をそれぞれ第１の電流値ＴＡ１及び第２の電流値ＴＡ２，ＴＡ３に変換して微分処理を行うことによって、第２電流センサ８の取り付け状態及び第２電流センサ９の取り付け状態のそれぞれの判定を容易かつ速やかに実行できる。
【００８２】  （２−６）判定部２２は、第２電流センサ９の取り付け状態を報知部７に出力する。この構成によれば、第２電流センサ９の取り付け状態が異常である場合、報知部７を介して施工者に第２電流センサ９の取り付け状態が異常であることを報知できる。
【００８３】  （変更例）  上記各実施形態は本開示に関するパワーコンディショナが取り得る形態の例示であり、その形態を制限することを意図していない。本開示に関するパワーコンディショナは上記各実施形態に例示された形態とは異なる形態を取り得る。その一例は、上記各実施形態の構成の一部を置換、変更、もしくは、省略した形態、又は上記各実施形態に新たな構成を付加した形態である。以下の変更例において、上記各実施形態の形態と共通する部分については、上記各実施形態と同一の符号を付してその説明を省略する。
【００８４】  ・第１実施形態において、第２電流センサ８は交流母線４の第２の電線４Ｂに取り付けられてもよい。この場合、インバータ部１２の出力電力が増加すると、電力系統５から第２の電線４Ｂに供給される買電電力が増加するような第２電流センサ８の取り付け向きを正常とする。このため、判定部２２は、インバータ部１２の出力電力の単位時間当たりの変動方向と、電力系統５から第２の電線４Ｂに供給される買電電力の単位時間当たりの変動方向とが同じ場合に第２電流センサ８の取り付け方向が正常であると判定する。したがって、判定部は、図４の第２電流センサ８の取り付け状態の判定処理を実行する場合、図４のフローチャートのステップＳ１３の判定を、インバータ部１２の出力電力の単位時間当たりの変動方向と、電力系統５から第２の電線４Ｂに供給される買電電力の単位時間当たりの変動方向とが同じ方向か否かに置き換える。なお、この場合、第２電流センサ８が取り付けられる第２の電線４Ｂは、第１の電線に相当する。
【００８５】  ・第２実施形態において、判定部２２は、第２電流センサ８の取り付け状態の判定と、第２電流センサ９の取り付け状態の判定とを並行して処理しているが、これに限られない。例えば、判定部２２は、第２電流センサ８の取り付け状態の判定及び第２電流センサ９の取り付け状態の判定の一方を他方よりも先に実行してもよい。
【００８６】  ・第２実施形態において、判定部２２は、第２電流センサ８の取り付け状態を判定する第１判定部と、第２電流センサ９の取り付け状態を判定する第２判定部とを有してもよい。第１判定部及び第２判定部はそれぞれ、Ａ／Ｄコンバータ２３及び報知部７に電気的に接続されている。
【００８７】  ・第１実施形態における図４の第２電流センサ８の取り付け状態の判定処理において、ステップＳ１２及びステップＳ１３の判定回数を増やしてもよい。一例では、判定部２２は、ステップＳ１２の判定処理を複数回繰り返し行い、全て同じ判定結果となる場合、次の処理（ステップＳ１３又はステップＳ１６）に移行する。判定部２２は、ステップＳ１３の判定処理を複数回繰り返し行い、全て同じ判定結果となる場合、次の処理（ステップＳ１４又はステップＳ１５）に移行する。この構成によれば、外乱等による偶然の判定結果による影響を低減できるため、第２電流センサ８の取り付け状態の誤判定の発生を低減できる。
【００８８】  ・第２実施形態における図９の第２電流センサ８の取り付け状態及び第２電流センサ９の取り付け状態の判定処理において、ステップＳ２２及びステップＳ２３の判定回数を上記変形例と同様に増やしてもよい。
【００８９】  ・第２実施形態における図９の判定処理において、ステップＳ３１及びステップＳ３２の判定回数を上記変形例と同様に増やしてもよい。この構成によれば、外乱等による偶然の判定結果による影響を低減できるため、第２電流センサ９の取り付け状態の誤判定の発生を低減できる。
【００９０】  ・各実施形態において、制御装置２０の構成は任意に変更可能である。一例では、制御部２１と判定部２２とが一体化されてもよい。  ・各実施形態において、判定部２２は、ＤＳＰ２４に代えてアナログ処理によって第２電流センサ８の取り付け状態及び第２電流センサ９の取り付け状態をそれぞれ判定してもよい。
【００９１】  ・各実施形態において、電力管理システム１から太陽光発電装置２等の発電装置を省略してもよい。この場合、パワーコンディショナ１０からＰＶコンバータ１１が省略される。蓄電装置３に接続された電力変換装置１４は、高圧直流バス１５を介してインバータ部１２に接続される。
【００９２】  ・各実施形態において、電力管理システム１から蓄電装置３を省略してもよい。この場合、パワーコンディショナ１０から電力変換装置１４が省略される。このような構成では、太陽光発電装置２等の発電装置が直流電源装置に相当し、ＰＶコンバータ１１が変換器に相当する。
【００９３】  ・各実施形態では、通常動作中であっても第２電流センサ８，９の取り付け状態を判定するため、インバータ部１２の出力電力があることを前提に説明したが、例えば起動時の短時間のみ、第２電流センサ８，９の取り付け状態を判定するのであれば、インバータ部１２の出力電力を無効電力のみとしても実現可能である。すなわち、見かけ上、電力系統５から買電電力のみで負荷６，６Ａ，６Ｂの駆動電力をまかない、インバータ部１２からの出力電力が、第１電流センサ１６により検出した第１の電流値ＴＡ１が電圧値ＴＶの位相に対して９０°ずれた電流（無効電流）になるように制御することで、第２電流センサ８，９により検出した第２の電流値ＴＡ２に変化を起こすことができる。この第２の電流値ＴＡ２の変化に基づいて第２電流センサ８，９の取り付け状態を判定できる。
【００９４】  ・本開示は、前述した実施形態で説明した機能、方法、または構成を実現するように構成されたコンピュータ実行可能命令を格納した非一時的コンピュータ可読記録媒体を含む。当該コンピュータ可読記録媒体は、一または複数のコンピュータプロセッサがアクセスできる任意の媒体であってよく、例えば、ＲＡＭ、ＲＯＭ、ＥＥＰＲＯＭ、ＣＤ−ＲＯＭまたは他の光ディスクストレージ、磁気ディスクストレージまたは他の磁気記憶装置、及びそれらの任意の組合わせを含むことができる。
【符号の説明】
【００９５】３…蓄電装置（直流電源装置）４Ａ…第１の電線４Ｂ…第２の電線４Ｃ…第３の電線５…電力系統８…第２電流センサ９…第２電流センサ１０，１０Ａ，１０Ｂ…パワーコンディショナ１２…インバータ部１４…電力変換装置（変換部）１６…第１電流センサ２２…判定部２３…Ａ／Ｄコンバータ２４…ＤＳＰ
【図１】
0006901048.tif 000002
【図２】
0006901048.tif 000003
【図３】
0006901048.tif 000004
【図４】
0006901048.tif 000005
【図５】
0006901048.tif 000006
【図６】
0006901048.tif 000007
【図７】
0006901048.tif 000008
【図８】
0006901048.tif 000009
【図９】
0006901048.tif 000010
【図１０】
0006901048.tif 000011
【図１１】
0006901048.tif 000012
【図１２】
0006901048.tif 000013